【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
ワイヤレス通信デバイスであって、
カウンタの値を記憶するように構成されたメモリと、
前記メモリに結合されたプロセッサとを備え、前記プロセッサは、ワイヤレス通信ネットワークのチャネルが少なくとも拡張スロット時間の間アイドルである場合、前記カウンタの値をデクリメントするように構成され、前記プロセッサはさらに、ポーリング要求を生成するように構成され、前記ポーリング要求は、前記カウンタの値が閾値に達したときに前記ワイヤレス通信ネットワークを通じてアクセスポイントに送信され、情報要素が、ビットマップを備えるトラフィックインジケーションマップ（ＴＩＭ）であり、前記ビットマップ内の各ビットが前記ワイヤレス通信ネットワーク内の異なるワイヤレス通信デバイスに対応し、前記カウンタの開始値は、前記ワイヤレス通信デバイスに対応するビットよりも前に現れる他のワイヤレス通信デバイスに対応するビットの数に基づく、ワイヤレス通信デバイス。
【請求項２】
前記拡張スロット時間は、ポーリング要求の持続期間、ショート・インターフレーム・スペース（ＳＩＦＳ）の持続期間、およびクリアチャネルアセスメント（ＣＣＡ）の持続期間に基づく、請求項１に記載のワイヤレス通信デバイス。
【請求項３】
前記プロセッサに電子的に結合され、前記アクセスポイントからメッセージを感知するように構成された受信機をさらに備え、前記カウンタは、前記受信機が前記アクセスポイントからのメッセージを感知したときには前記カウンタの値を維持するように構成される、請求項１に記載のワイヤレス通信デバイス。
【請求項４】
前記アクセスポイントは、前記情報要素で指示されたワイヤレス通信デバイスのグループについて媒体へのアクセスを予約する、請求項１に記載のワイヤレス通信デバイス。
【請求項５】
前記媒体へのアクセスが、前記情報要素を搬送する物理層データユニット（ＰＰＤＵ）の持続期間フィールド値を設定することによって予約され、前記持続期間フィールド値を設定することは、前記情報要素で指示されないワイヤレス通信デバイスに、ネットワーク割り当てベクトルを設定するよう促す、請求項４に記載のワイヤレス通信デバイス。
【請求項６】
前記情報要素で指示されないワイヤレス通信デバイスが、前記媒体へアクセスすることを許可されない、請求項４に記載のワイヤレス通信ネットワーク。
【請求項７】
前記閾値はゼロである、請求項１に記載のワイヤレス通信デバイス。
【請求項８】
前記拡張スロット時間は、ポーリング要求の持続期間、ＳＩＦＳの持続期間、ＣＣＡの持続期間、および最大コンテンションウィンドウの持続期間に基づく、請求項１に記載のワイヤレス通信デバイス。
【請求項９】
前記ポーリング要求は、前記カウンタの値が前記閾値に達したとき、前記チャネルがアイドルであるとき、および第１の時間の後、前記アクセスポイントに送信され、前記第１の時間は、アービトレーション・インターフレーム・スペーシング（ＡＩＦＳ）および残存バックオフの持続期間に基づく、請求項８に記載のワイヤレス通信デバイス。
【請求項１０】
ワイヤレス通信ネットワークにおける衝突を低減する方法であって、
ワイヤレス通信ネットワークのチャネルが少なくとも拡張スロット時間の間アイドルである場合にカウンタの値をデクリメントすることと、
ポーリング要求を生成することと、
前記カウンタの値が閾値に達したときに前記ワイヤレス通信ネットワークを通じてアクセスポイントに前記ポーリング要求を送信することと、
を備え、情報要素が、ビットマップを備えるトラフィックインジケーションマップ（ＴＩＭ）であり、前記ビットマップ内の各ビットが前記ワイヤレス通信ネットワーク内の異なるワイヤレス通信デバイスに対応し、前記カウンタの開始値は、前記ワイヤレス通信デバイスに対応するビットよりも前に現れる他のワイヤレス通信デバイスに対応するビットの数に基づく、方法。
【請求項１１】
カウンタの値をデクリメントすることが、前記チャネルが少なくとも、ポーリング要求の持続期間、ショート・インターフレーム・スペース（ＳＩＦＳ）の持続期間、およびクリアチャネルアセスメント（ＣＣＡ）の持続期間の間アイドルである場合に、前記値をデクリメントすることを含む、請求項１０に記載の方法。
【請求項１２】
前記アクセスポイントからのメッセージを感知することをさらに備え、前記カウンタは、受信機が前記アクセスポイントからのメッセージを感知したときには前記カウンタの値を維持するように構成される、請求項１０に記載の方法。
【請求項１３】
前記アクセスポイントは、前記情報要素で指示されたワイヤレス通信デバイスのグループについて媒体へのアクセスを予約する、請求項１０に記載の方法。
【請求項１４】
前記媒体へのアクセスが、前記情報要素を搬送する物理層データユニット（ＰＰＤＵ）の持続期間フィールド値を設定することによって予約され、前記持続期間フィールド値を設定することは、前記情報要素で指示されないワイヤレス通信デバイスに、ネットワーク割り当てベクトルを設定するよう促す、請求項１３に記載の方法。
【請求項１５】
前記情報要素で指示されないワイヤレス通信デバイスが、前記媒体へアクセスすることを許可されない、請求項１３に記載の方法。
【請求項１６】
前記閾値はゼロである、請求項１０に記載の方法。
【請求項１７】
カウンタの値をデクリメントすることが、前記チャネルが少なくともポーリング要求の持続期間、ＳＩＦＳの持続期間、ＣＣＡの持続期間、および最大コンテンションウィンドウの持続期間の間アイドルである場合に、前記値をデクリメントすることを含む、請求項１０に記載の方法。
【請求項１８】
前記ポーリング要求を送信することが、前記カウンタの値が前記閾値に達したとき、前記チャネルがアイドルであるとき、および第１の時間の後、前記アクセスポイントに前記ポーリング要求を送信することを含み、前記第１の時間は、アービトレーション・インターフレーム・スペーシング（ＡＩＦＳ）および残存バックオフの持続期間に基づく、請求項１７に記載の方法。
【請求項１９】
ワイヤレス通信ネットワークにおける衝突を低減するように構成された装置であって、
ワイヤレス通信ネットワークのチャネルが少なくとも拡張スロット時間の間アイドルである場合にカウンタの値をデクリメントする手段と、
ポーリング要求を生成する手段と、
前記カウンタの値が閾値に達したときに前記ワイヤレス通信ネットワークを通じてアクセスポイントに前記ポーリング要求を送信する手段と、
を備え、情報要素が、ビットマップを備えるトラフィックインジケーションマップ（ＴＩＭ）であり、前記ビットマップ内の各ビットが前記ワイヤレス通信ネットワーク内の異なるワイヤレス通信デバイスに対応し、前記カウンタの開始値は、前記ワイヤレス通信デバイスに対応するビットよりも前に現れる他のワイヤレス通信デバイスに対応するビットの数に基づく、装置。
【請求項２０】
カウンタの値をデクリメントする手段は、前記チャネルが少なくともポーリング要求の持続期間、ショート・インターフレーム・スペース（ＳＩＦＳ）の持続期間、およびクリアチャネルアセスメント（ＣＣＡ）の持続期間の間アイドルである場合に、前記値をデクリメントする手段を含む、請求項１９に記載の装置。
【請求項２１】
前記アクセスポイントからのメッセージを感知する手段をさらに備え、前記カウンタは、受信機が前記アクセスポイントからのメッセージを感知したときには前記カウンタの値を維持するように構成される、請求項１９に記載の装置。
【請求項２２】
前記アクセスポイントは、前記情報要素で指示されたワイヤレス通信デバイスのグループについて媒体へのアクセスを予約する、請求項１９に記載の装置。
【請求項２３】
前記媒体へのアクセスが、前記情報要素を搬送する物理層データユニット（ＰＰＤＵ）の持続期間フィールド値を設定することによって予約され、前記持続期間フィールド値を設定することは、前記情報要素で指示されないワイヤレス通信デバイスに、ネットワーク割り当てベクトルを設定するよう促す、請求項２２に記載の装置。
【請求項２４】
前記情報要素で指示されないワイヤレス通信デバイスが、前記媒体へアクセスすることを許可されない、請求項２２に記載の装置。
【請求項２５】
前記閾値はゼロである、請求項１９に記載の装置。
【請求項２６】
カウンタの値をデクリメントする手段は、前記チャネルが少なくともポーリング要求の持続期間、ＳＩＦＳの持続期間、ＣＣＡの持続期間、および最大コンテンションウィンドウの持続期間の間アイドルである場合に、前記値をデクリメントする手段を含む、請求項１９に記載の装置。
【請求項２７】
前記ポーリング要求を送信する手段が、前記カウンタの値が前記閾値に達したとき、前記チャネルがアイドルであるとき、および第１の時間の後、前記アクセスポイントに前記ポーリング要求を送信する手段を含み、前記第１の時間は、アービトレーション・インターフレーム・スペーシング（ＡＩＦＳ）および残存バックオフの持続期間に基づく、請求項２６に記載の装置。
【請求項２８】
デクリメントする前記手段および生成する前記手段は、プロセッサを含み、送信する前記手段は、送信機を含む、請求項１９に記載の装置。
【請求項２９】
非一時的コンピュータ読取可能媒体であって、
実行されたときに、装置に、
ワイヤレス通信ネットワークのチャネルが少なくとも拡張スロット時間の間アイドルである場合にカウンタの値をデクリメントすることと、
ポーリング要求を生成することと、
前記カウンタの値が閾値に達したときに前記ワイヤレス通信ネットワークを通じてアクセスポイントに前記ポーリング要求を送信することと、
を行わせるコードを備え、情報要素が、ビットマップを備えるトラフィックインジケーションマップ（ＴＩＭ）であり、前記ビットマップ内の各ビットが前記ワイヤレス通信ネットワーク内の異なるワイヤレス通信デバイスに対応し、前記カウンタの開始値は、前記ワイヤレス通信デバイスに対応するビットよりも前に現れる他のワイヤレス通信デバイスに対応するビットの数に基づく、非一時的コンピュータ読取可能媒体。
【請求項３０】
実行されたときに、前記装置に、前記チャネルが少なくともポーリング要求の持続期間、ショート・インターフレーム・スペース（ＳＩＦＳ）の持続期間、およびクリアチャネルアセスメント（ＣＣＡ）の持続期間の間アイドルである場合に、前記値をデクリメントさせるコードをさらに備える、請求項２９に記載の媒体。
【請求項３１】
実行されたときに、前記装置に、前記アクセスポイントからのメッセージを感知させるコードをさらに備え、前記カウンタは、受信機が前記アクセスポイントからのメッセージを感知したときには前記カウンタの値を維持するように構成される、請求項２９に記載の媒体。
【請求項３２】
前記アクセスポイントは、前記情報要素で指示されたワイヤレス通信デバイスのグループについて第２の媒体へのアクセスを予約する、請求項２９に記載の媒体。
【請求項３３】
前記第２の媒体へのアクセスが、前記情報要素を搬送する物理層データユニット（ＰＰＤＵ）の持続期間フィールド値を設定することによって予約され、前記持続期間フィールド値を設定することは、前記情報要素で指示されないワイヤレス通信デバイスに、ネットワーク割り当てベクトルを設定するよう促す、請求項３２に記載の媒体。
【請求項３４】
前記情報要素で指示されないワイヤレス通信デバイスが、前記第２の媒体へアクセスすることを許可されない、請求項３２に記載の媒体。
【請求項３５】
前記閾値はゼロである、請求項２９に記載の媒体。
【請求項３６】
実行されたときに、前記装置に、前記チャネルが少なくともポーリング要求の持続期間、ＳＩＦＳの持続期間、ＣＣＡの持続期間、および最大コンテンションウィンドウの持続期間の間アイドルである場合に、前記値をデクリメントさせるコードをさらに備える、請求項２９に記載の媒体。
【請求項３７】
実行されたときに、前記装置に、前記カウンタの値が前記閾値に達したとき、前記チャネルがアイドルであるとき、および第１の時間の後、前記アクセスポイントに前記ポーリング要求を送信させるコードをさらに備え、前記第１の時間は、アービトレーション・インターフレーム・スペーシング（ＡＩＦＳ）および残存バックオフの持続期間に基づく、請求項３６に記載の媒体。
【請求項３８】
ワイヤレス通信デバイスであって、
ワイヤレス通信ネットワークのチャネルで送信されたメッセージを検出するように構成された受信機と、
前記受信機に結合されたプロセッサとを備え、前記プロセッサは、ポーリング要求を生成するように構成され、前記プロセッサはさらに、前記ワイヤレス通信デバイスが通信する前記ワイヤレス通信ネットワークの前記チャネルで送信された別のメッセージを前記受信機が検出するたびに、適応拡張インターフレーム・スペース（ＡＥＩＦＳ）を決定するように構成され、前記ポーリング要求は、前記ＡＥＩＦＳの持続期間に基づく時間の後、前記ワイヤレス通信ネットワークの前記チャネルがオープンであるときに、前記ワイヤレス通信ネットワークを通じてアクセスポイントに送信され、情報要素が、ビットマップを備えるトラフィックインジケーションマップ（ＴＩＭ）であり、前記ビットマップ内の各ビットが前記ワイヤレス通信ネットワーク内の異なるワイヤレス通信デバイスに対応し、前記ＡＦＩＦＳの初期持続時間は、前記ワイヤレス通信デバイスに対応するビットよりも前に現れる他のワイヤレス通信デバイスに対応するビットの数に基づく、ワイヤレス通信デバイス。
【請求項３９】
前記ＡＥＩＦＳの前記持続期間は、分散調整機能インターフレーム・スペース（ＤＩＦＳ）の持続期間、ショート・インターフレーム・スペース（ＳＩＦＳ）の持続期間、最大コンテンションウィンドウの持続期間、ポーリング要求の送信時間、ならびに、前記ワイヤレス通信デバイスに対応する前記ビットよりも前に現れるビットに対応する他のワイヤレス通信デバイスにアドレスされた前記アクセスポイントによって送信されたメッセージの数に基づく、請求項３８に記載のワイヤレス通信デバイス。
【請求項４０】
前記ＡＥＩＦＳの前記持続期間は、前記ワイヤレス通信デバイスに対応する前記ビットよりも前に現れるビットに対応する他のワイヤレス通信デバイスにアドレスされた前記アクセスポイントによって送信されたメッセージの数が増加するにつれて減少する、請求項３９に記載のワイヤレス通信デバイス。
【請求項４１】
前記ワイヤレス通信デバイスに対応する前記ビットよりも前に現れるビットに対応する他のワイヤレス通信デバイス各々に前記アクセスポイントがメッセージをアドレスしたときに前記ポーリング要求を送信するように構成された送信機をさらに備える、請求項４０に記載のワイヤレス通信デバイス。
【請求項４２】
ワイヤレス通信ネットワークにおける衝突を低減する方法であって、
ポーリング要求を生成することと、
ワイヤレス通信デバイスが通信するワイヤレス通信ネットワークのチャネルで送信された別のメッセージを前記ワイヤレス通信デバイスが検出するたびに、適応拡張インターフレーム・スペース（ＡＥＩＦＳ）を決定することと、
前記ＡＥＩＦＳの持続期間に基づく時間の後、前記ワイヤレス通信ネットワークの前記チャネルがオープンであるときに、前記ワイヤレス通信ネットワークを通じてアクセスポイントに前記ポーリング要求を送信することと、
を備え、情報要素が、ビットマップを備えるトラフィックインジケーションマップ（ＴＩＭ）であり、前記ビットマップ内の各ビットが前記ワイヤレス通信ネットワーク内の異なるワイヤレス通信デバイスに対応し、前記ＡＥＩＦＣの初期持続期間は、前記ワイヤレス通信デバイスに対応するビットよりも前に現れる他のワイヤレス通信デバイスに対応するビットの数に基づく、方法。
【請求項４３】
分散調整機能インターフレーム・スペース（ＤＩＦＳ）の持続期間、ショート・インターフレーム・スペース（ＳＩＦＳ）の持続期間、最大コンテンションウィンドウの持続期間、ポーリング要求の送信時間、ならびに、前記ワイヤレス通信デバイスに対応する前記ビットよりも前に現れるビットに対応する他のワイヤレス通信デバイスにアドレスされた前記アクセスポイントによって送信されたメッセージの数に基づいて、前記ＡＥＩＦＳの持続期間を決定することをさらに備える、請求項４２に記載の方法。
【請求項４４】
前記ワイヤレス通信デバイスに対応する前記ビットよりも前に現れるビットに対応する他のワイヤレス通信デバイスにアドレスされた前記アクセスポイントによって送信されたメッセージの前記数が増加するにつれて、前記ＡＥＩＦＳの前記持続期間を減少させることをさらに備える、請求項４３に記載の方法。
【請求項４５】
前記ポーリング要求を送信することが、前記ワイヤレス通信デバイスに対応する前記ビットよりも前に現れるビットに対応する他のワイヤレス通信デバイス各々に前記アクセスポイントがメッセージをアドレスしたときに前記ポーリング要求を送信することを含む、請求項４４に記載の方法。
【請求項４６】
ワイヤレス通信ネットワークにおける衝突を低減するように構成された装置であって、
ポーリング要求を生成する手段と、
ワイヤレス通信デバイスが通信するワイヤレス通信ネットワークのチャネルで送信された別のメッセージを前記ワイヤレス通信デバイスが検出するたびに、適応拡張インターフレーム・スペース（ＡＥＩＦＳ）を決定する手段と、
前記ＡＥＩＦＳの持続期間に基づく時間の後、前記ワイヤレス通信ネットワークの前記チャネルがオープンであるときに、前記ワイヤレス通信ネットワークを通じてアクセスポイントに前記ポーリング要求を送信する手段と、
を備え、情報要素が、ビットマップを備えるトラフィックインジケーションマップ（ＴＩＭ）であり、前記ビットマップ内の各ビットが前記ワイヤレス通信ネットワーク内の異なるワイヤレス通信デバイスに対応し、前記ＡＥＩＦＳの初期持続期間は、前記ワイヤレス通信デバイスに対応するビットよりも前に現れる他のワイヤレス通信デバイスに対応するビットの数に基づく、装置。
【請求項４７】
分散調整機能インターフレーム・スペース（ＤＩＦＳ）の持続期間、ショート・インターフレーム・スペース（ＳＩＦＳ）の持続期間、最大コンテンションウィンドウの持続期間、ポーリング要求の送信時間、ならびに、前記ワイヤレス通信デバイスに対応する前記ビットよりも前に現れるビットに対応する他のワイヤレス通信デバイスにアドレスされた前記アクセスポイントによって送信されたメッセージの数に基づいて、前記ＡＥＩＦＳの持続期間を決定する手段をさらに備える、請求項４６に記載の装置。
【請求項４８】
前記ワイヤレス通信デバイスに対応する前記ビットよりも前に現れるビットに対応する他のワイヤレス通信デバイスにアドレスされた前記アクセスポイントによって送信されたメッセージの前記数が増加するにつれて、前記ＡＥＩＦＳの前記持続期間を減少させる手段をさらに備える、請求項４７に記載の装置。
【請求項４９】
前記ポーリング要求を送信する手段が、前記ワイヤレス通信デバイスに対応する前記ビットよりも前に現れるビットに対応する他のワイヤレス通信デバイス各々に前記アクセスポイントがメッセージをアドレスしたときに前記ポーリング要求を送信する手段を備える、請求項４８に記載の装置。
【請求項５０】
生成する前記手段および決定する前記手段は、プロセッサを含み、送信する前記手段は、送信機を含む、請求項４６に記載の装置。
【請求項５１】
非一時的コンピュータ読取可能媒体であって、
実行されたときに、装置に、
ポーリング要求を生成することと、
ワイヤレス通信デバイスが通信するワイヤレス通信ネットワークのチャネルで送信された別のメッセージを前記ワイヤレス通信デバイスが検出するたびに、適応拡張インターフレーム・スペース（ＡＥＩＦＳ）を決定することと、
前記ＡＥＩＦＳの持続期間に基づく時間の後、前記ワイヤレス通信ネットワークの前記チャネルがオープンであるときに、前記ワイヤレス通信ネットワークを通じてアクセスポイントに前記ポーリング要求を送信することと、
を行わせるコードを備え、情報要素が、ビットマップを備えるトラフィックインジケーションマップ（ＴＩＭ）であり、前記ビットマップ内の各ビットが前記ワイヤレス通信ネットワーク内の異なるワイヤレス通信デバイスに対応し、前記ＡＥＩＦＳの初期持続期間は、前記ワイヤレス通信デバイスに対応するビットよりも前に現れる他のワイヤレス通信デバイスに対応するビットの数に基づく、非一時的コンピュータ読取可能媒体。
【請求項５２】
実行されたときに、前記装置に、分散調整機能インターフレーム・スペース（ＤＩＦＳ）の持続期間、ショート・インターフレーム・スペース（ＳＩＦＳ）の持続期間、最大コンテンションウィンドウの持続期間、ポーリング要求の送信時間、ならびに、前記ワイヤレス通信デバイスに対応する前記ビットよりも前に現れるビットに対応する他のワイヤレス通信デバイスにアドレスされた前記アクセスポイントによって送信されたメッセージの数に基づいて、前記ＡＥＩＦＳの持続期間を決定させるコードをさらに備える、請求項５１に記載の媒体。
【請求項５３】
実行されたときに、前記装置に、前記ワイヤレス通信デバイスに対応する前記ビットよりも前に現れるビットに対応する他のワイヤレス通信デバイスにアドレスされた前記アクセスポイントによって送信されたメッセージの前記数が増加するにつれて、前記ＡＥＩＦＳの前記持続期間を減少させるコードをさらに備える、請求項５２に記載の媒体。
【請求項５４】
実行されたときに前記装置に前記ポーリング要求を送信させるコードが、前記ワイヤレス通信デバイスに対応する前記ビットよりも前に現れるビットに対応する他のワイヤレス通信デバイス各々に前記アクセスポイントがメッセージをアドレスしたときに前記ポーリング要求を送信する手段を含むことをさらに備える、請求項５３に記載の媒体。
【手続補正２】
【補正対象書類名】明細書
【補正対象項目名】００９１
【補正方法】変更
【補正の内容】
【００９１】
以上は、本開示の諸態様を対象とするが、本開示のその他およびさらなる態様が、本開示の基本的な範囲から逸脱することなく考案され、その範囲は、特許請求の範囲によって決定される。
以下に本願発明の当初の特許請求の範囲に記載された発明を付記する。
［Ｃ１］
ワイヤレス通信デバイスであって、
カウンタの値を記憶するように構成されたメモリと、
前記メモリに結合されたプロセッサとを備え、前記プロセッサは、ワイヤレス通信ネットワークのチャネルが少なくとも拡張スロット時間の間アイドルである場合、前記カウンタの値をデクリメントするように構成され、前記カウンタの開始値が、情報要素における前記ワイヤレス通信デバイスに対応するインデックスの位置に基づき、前記プロセッサはさらに、ポーリング要求を生成するように構成され、前記ポーリング要求は、前記カウンタの値が閾値に達したときに前記ワイヤレス通信ネットワークを通じてアクセスポイントに送信される、ワイヤレス通信デバイス。
［Ｃ２］
前記拡張スロット時間は、ポーリング要求の持続期間、ショート・インターフレーム・スペース（ＳＩＦＳ）の持続期間、およびクリアチャネルアセスメント（ＣＣＡ）の持続期間に基づく、Ｃ１に記載のワイヤレス通信デバイス。
［Ｃ３］
前記プロセッサに電子的に結合され、前記アクセスポイントからメッセージを感知するように構成された受信機をさらに備え、前記カウンタは、前記受信機が前記アクセスポイントからのメッセージを感知したときには前記カウンタの値を維持するように構成される、Ｃ１に記載のワイヤレス通信デバイス。
［Ｃ４］
前記情報要素は、トラフィックインジケーションマップ（ＴＩＭ）である、Ｃ１に記載のワイヤレス通信デバイス。
［Ｃ５］
前記ＴＩＭはビットマップを備え、前記ビットマップ内の各ビットが前記ワイヤレス通信ネットワーク内の異なるワイヤレス通信デバイスに対応し、前記カウンタの前記開始値は、前記ワイヤレス通信デバイスに対応するビットよりも前に現れる他のワイヤレス通信デバイスに対応するビットの数に基づく、Ｃ４に記載のワイヤレス通信デバイス。
［Ｃ６］
前記アクセスポイントは、前記情報要素で指示されたワイヤレス通信デバイスのグループについて媒体へのアクセスを予約する、Ｃ１に記載のワイヤレス通信デバイス。
［Ｃ７］
前記媒体へのアクセスが、前記情報要素を搬送する物理層データユニット（ＰＰＤＵ）の持続期間フィールド値を設定することによって予約され、前記持続期間フィールド値を設定することは、前記情報要素で指示されないワイヤレス通信デバイスに、ネットワーク割り当てベクトルを設定するよう促す、Ｃ６に記載のワイヤレス通信デバイス。
［Ｃ８］
前記情報要素で指示されないワイヤレス通信デバイスが、前記媒体へアクセスすることを許可されない、Ｃ６に記載のワイヤレス通信ネットワーク。
［Ｃ９］
前記閾値はゼロである、Ｃ１に記載のワイヤレス通信デバイス。
［Ｃ１０］
前記拡張スロット時間は、ポーリング要求の持続期間、ＳＩＦＳの持続期間、ＣＣＡの持続期間、および最大コンテンションウィンドウの持続期間に基づく、Ｃ１に記載のワイヤレス通信デバイス。
［Ｃ１１］
前記ポーリング要求は、前記カウンタの値が前記閾値に達したとき、前記チャネルがアイドルであるとき、および第１の時間の後、前記アクセスポイントに送信され、前記第１の時間は、アービトレーション・インターフレーム・スペーシング（ＡＩＦＳ）および残存バックオフの持続期間に基づく、Ｃ１０に記載のワイヤレス通信デバイス。
［Ｃ１２］
ワイヤレス通信ネットワークにおける衝突を低減する方法であって、
ワイヤレス通信ネットワークのチャネルが少なくとも拡張スロット時間の間アイドルである場合にカウンタの値をデクリメントすることと、ここで、前記カウンタの開始値は、情報要素におけるワイヤレス通信デバイスに対応するインデックスの位置に基づき、
ポーリング要求を生成することと、
前記カウンタの値が閾値に達したときに前記ワイヤレス通信ネットワークを通じてアクセスポイントに前記ポーリング要求を送信することと、
を備える方法。
［Ｃ１３］
カウンタの値をデクリメントすることが、前記チャネルが少なくとも、ポーリング要求の持続期間、ショート・インターフレーム・スペース（ＳＩＦＳ）の持続期間、およびクリアチャネルアセスメント（ＣＣＡ）の持続期間の間アイドルである場合に、前記値をデクリメントすることを含む、Ｃ１２に記載の方法。
［Ｃ１４］
前記アクセスポイントからのメッセージを感知することをさらに備え、前記カウンタは、前記受信機が前記アクセスポイントからのメッセージを感知したときには前記カウンタの値を維持するように構成される、Ｃ１２に記載の方法。
［Ｃ１５］
トラフィックインジケーションマップ（ＴＩＭ）内のデータに基づいて前記カウンタの前記開始値を決定することをさらに備える、Ｃ１２に記載の方法。
［Ｃ１６］
前記ＴＩＭを分析することをさらに備え、前記ＴＩＭはビットマップを備え、前記ビットマップ内の各ビットが前記ワイヤレス通信ネットワーク内の異なるワイヤレス通信デバイスに対応し、前記カウンタの前記開始値は、前記ワイヤレス通信デバイスに対応するビットよりも前に現れる他のワイヤレス通信デバイスに対応するビットの数に基づく、Ｃ１５に記載の方法。
［Ｃ１７］
前記アクセスポイントは、前記情報要素で指示されたワイヤレス通信デバイスのグループについて媒体へのアクセスを予約する、Ｃ１２に記載の方法。
［Ｃ１８］
前記媒体へのアクセスが、前記情報要素を搬送する物理層データユニット（ＰＰＤＵ）の持続期間フィールド値を設定することによって予約され、前記持続期間フィールド値を設定することは、前記情報要素で指示されないワイヤレス通信デバイスに、ネットワーク割り当てベクトルを設定するよう促す、Ｃ１７に記載の方法。
［Ｃ１９］
前記情報要素で指示されないワイヤレス通信デバイスが、前記媒体へアクセスすることを許可されない、Ｃ１７に記載の方法。
［Ｃ２０］
前記閾値はゼロである、Ｃ１２に記載の方法。
［Ｃ２１］
カウンタの値をデクリメントすることが、前記チャネルが少なくともポーリング要求の持続期間、ＳＩＦＳの持続期間、ＣＣＡの持続期間、および最大コンテンションウィンドウの持続期間の間アイドルである場合に、前記値をデクリメントすることを含む、Ｃ１２に記載の方法。
［Ｃ２２］
前記ポーリング要求を送信することが、前記カウンタの値が前記閾値に達したとき、前記チャネルがアイドルであるとき、および第１の時間の後、前記アクセスポイントに前記ポーリング要求を送信することを含み、前記第１の時間は、アービトレーション・インターフレーム・スペーシング（ＡＩＦＳ）および残存バックオフの持続期間に基づく、Ｃ２１に記載の方法。
［Ｃ２３］
ワイヤレス通信ネットワークにおける衝突を低減するように構成された装置であって、
ワイヤレス通信ネットワークのチャネルが少なくとも拡張スロット時間の間アイドルである場合にカウンタの値をデクリメントする手段と、ここで、前記カウンタの開始値は、情報要素におけるワイヤレス通信デバイスに対応するインデックスの位置に基づき、
ポーリング要求を生成する手段と、
前記カウンタの値が閾値に達したときに前記ワイヤレス通信ネットワークを通じてアクセスポイントに前記ポーリング要求を送信する手段と、
を備える、装置。
［Ｃ２４］
カウンタの値をデクリメントする手段は、前記チャネルが少なくともポーリング要求の持続期間、ショート・インターフレーム・スペース（ＳＩＦＳ）の持続期間、およびクリアチャネルアセスメント（ＣＣＡ）の持続期間の間アイドルである場合に、前記値をデクリメントする手段を含む、Ｃ２３に記載の方法。
［Ｃ２５］
前記アクセスポイントからのメッセージを感知する手段をさらに備え、前記カウンタは、前記受信機が前記アクセスポイントからのメッセージを感知したときには前記カウンタの値を維持するように構成される、Ｃ２３に記載の装置。
［Ｃ２６］
トラフィックインジケーションマップ（ＴＩＭ）内のデータに基づいて前記カウンタの前記開始値を決定する手段をさらに備える、Ｃ２３に記載の装置。
［Ｃ２７］
前記ＴＩＭを分析する手段をさらに備え、前記ＴＩＭはビットマップを備え、前記ビットマップ内の各ビットが前記ワイヤレス通信ネットワーク内の異なるワイヤレス通信デバイスに対応し、前記カウンタの前記開始値は、前記ワイヤレス通信デバイスに対応するビットよりも前に現れる他のワイヤレス通信デバイスに対応するビットの数に基づく、Ｃ２６に記載の装置。
［Ｃ２８］
前記アクセスポイントは、前記情報要素で指示されたワイヤレス通信デバイスのグループについて媒体へのアクセスを予約する、Ｃ２３に記載の装置。
［Ｃ２９］
前記媒体へのアクセスが、前記情報要素を搬送する物理層データユニット（ＰＰＤＵ）の持続期間フィールド値を設定することによって予約され、前記持続期間フィールド値を設定することは、前記情報要素で指示されないワイヤレス通信デバイスに、ネットワーク割り当てベクトルを設定するよう促す、Ｃ２８に記載の装置。
［Ｃ３０］
前記情報要素で指示されないワイヤレス通信デバイスが、前記媒体へアクセスすることを許可されない、Ｃ２８に記載の装置。
［Ｃ３１］
前記閾値はゼロである、Ｃ２３に記載の装置。
［Ｃ３２］
カウンタの値をデクリメントする手段は、前記チャネルが少なくともポーリング要求の持続期間、ＳＩＦＳの持続期間、ＣＣＡの持続期間、および最大コンテンションウィンドウの持続期間の間アイドルである場合に、前記値をデクリメントする手段を含む、Ｃ２３に記載の装置。
［Ｃ３３］
前記ポーリング要求を送信する手段が、前記カウンタの値が前記閾値に達したとき、前記チャネルがアイドルであるとき、および第１の時間の後、前記アクセスポイントに前記ポーリング要求を送信する手段を含み、前記第１の時間は、アービトレーション・インターフレーム・スペーシング（ＡＩＦＳ）および残存バックオフの持続期間に基づく、Ｃ３２に記載の装置。
［Ｃ３４］
デクリメントする前記手段および生成する前記手段は、プロセッサを含み、送信する前記手段は、送信機を含む、Ｃ２３に記載の装置。
［Ｃ３５］
非一時的コンピュータ読取可能媒体であって、
実行されたときに、装置に、
ワイヤレス通信ネットワークのチャネルが少なくとも拡張スロット時間の間アイドルである場合にカウンタの値をデクリメントすることと、ここで、前記カウンタの開始値は、情報要素におけるワイヤレス通信デバイスに対応するインデックスの位置に基づき、
ポーリング要求を生成することと、
前記カウンタの値が閾値に達したときに前記ワイヤレス通信ネットワークを通じてアクセスポイントに前記ポーリング要求を送信することと、
を行わせるコードを備える、非一時的コンピュータ読取可能媒体。
［Ｃ３６］
実行されたときに、前記装置に、前記チャネルが少なくともポーリング要求の持続期間、ショート・インターフレーム・スペース（ＳＩＦＳ）の持続期間、およびクリアチャネルアセスメント（ＣＣＡ）の持続期間の間アイドルである場合に、前記値をデクリメントさせるコードをさらに備える、Ｃ３５に記載の媒体。
［Ｃ３７］
実行されたときに、前記装置に、前記アクセスポイントからのメッセージを感知させるコードをさらに備え、前記カウンタは、前記受信機が前記アクセスポイントからのメッセージを感知したときには前記カウンタの値を維持するように構成される、Ｃ３５に記載の媒体。
［Ｃ３８］
実行されたときに、前記装置に、トラフィックインジケーションマップ（ＴＩＭ）内のデータに基づいて前記カウンタの前記開始値を決定させるコードをさらに備える、Ｃ３５に記載の媒体。
［Ｃ３９］
実行されたときに、前記装置に、前記ＴＩＭを分析させるコードをさらに備え、前記ＴＩＭはビットマップを備え、前記ビットマップ内の各ビットが前記ワイヤレス通信ネットワーク内の異なるワイヤレス通信デバイスに対応し、前記カウンタの前記開始値は、前記ワイヤレス通信デバイスに対応するビットよりも前に現れる他のワイヤレス通信デバイスに対応するビットの数に基づく、Ｃ３８に記載の媒体。
［Ｃ４０］
前記アクセスポイントは、前記情報要素で指示されたワイヤレス通信デバイスのグループについて第２の媒体へのアクセスを予約する、Ｃ３５に記載の媒体。
［Ｃ４１］
前記第２の媒体へのアクセスが、前記情報要素を搬送する物理層データユニット（ＰＰＤＵ）の持続期間フィールド値を設定することによって予約され、前記持続期間フィールド値を設定することは、前記情報要素で指示されないワイヤレス通信デバイスに、ネットワーク割り当てベクトルを設定するよう促す、Ｃ４０に記載の媒体。
［Ｃ４２］
前記情報要素で指示されないワイヤレス通信デバイスが、前記第２の媒体へアクセスすることを許可されない、Ｃ４０に記載の媒体。
［Ｃ４３］
前記閾値はゼロである、Ｃ３５に記載の媒体。
［Ｃ４４］
実行されたときに、前記装置に、前記チャネルが少なくともポーリング要求の持続期間、ＳＩＦＳの持続期間、ＣＣＡの持続期間、および最大コンテンションウィンドウの持続期間の間アイドルである場合に、前記値をデクリメントさせるコードをさらに備える、Ｃ３５に記載の媒体。
［Ｃ４５］
実行されたときに、前記装置に、前記カウンタの値が前記閾値に達したとき、前記チャネルがアイドルであるとき、および第１の時間の後、前記アクセスポイントに前記ポーリング要求を送信させるコードをさらに備え、前記第１の時間は、アービトレーション・インターフレーム・スペーシング（ＡＩＦＳ）および残存バックオフの持続期間に基づく、Ｃ４４に記載の媒体。
［Ｃ４６］
ワイヤレス通信デバイスであって、
ワイヤレス通信ネットワークのチャネルで送信されたメッセージを検出するように構成された受信機と、
前記受信機に結合されたプロセッサとを備え、前記プロセッサは、ポーリング要求を生成するように構成され、前記プロセッサはさらに、前記ワイヤレス通信デバイスが通信する前記ワイヤレス通信ネットワークの前記チャネルで送信された別のメッセージを前記受信機が検出するたびに、適応拡張インターフレーム・スペース（ＡＥＩＦＳ）を決定するように構成され、前記ＡＥＩＦＳの初期持続期間は、情報要素における前記ワイヤレス通信デバイスの位置に基づき、前記ポーリング要求は、前記ＡＥＩＦＳの持続期間に基づく時間の後、前記ワイヤレス通信ネットワークの前記チャネルがオープンであるときに、前記ワイヤレス通信ネットワークを通じてアクセスポイントに送信される、ワイヤレス通信デバイス。
［Ｃ４７］
前記情報要素は、トラフィックインジケーションマップ（ＴＩＭ）である、Ｃ４６に記載のワイヤレス通信デバイス。
［Ｃ４８］
前記ＴＩＭはビットマップを備え、前記ビットマップ内の各ビットが前記ワイヤレス通信ネットワーク内の異なるワイヤレス通信デバイスに対応し、前記ＡＥＩＦＳの前記初期持続期間は、前記ワイヤレス通信デバイスに対応するビットよりも前に現れる他のワイヤレス通信デバイスに対応するビットの数に基づく、Ｃ４７に記載のワイヤレス通信デバイス。
［Ｃ４９］
前記ＡＥＩＦＳの前記持続期間は、分散調整機能インターフレーム・スペース（ＤＩＦＳ）の持続期間、ショート・インターフレーム・スペース（ＳＩＦＳ）の持続期間、最大コンテンションウィンドウの持続期間、ポーリング要求の送信時間、ならびに、前記ワイヤレス通信デバイスに対応する前記ビットよりも前に現れるビットに対応する他のワイヤレス通信デバイスにアドレスされた前記アクセスポイントによって送信されたメッセージの数に基づく、Ｃ４８に記載のワイヤレス通信デバイス。
［Ｃ５０］
前記ＡＥＩＦＳの前記持続期間は、前記ワイヤレス通信デバイスに対応する前記ビットよりも前に現れるビットに対応する他のワイヤレス通信デバイスにアドレスされた前記アクセスポイントによって送信されたメッセージの数が増加するにつれて減少する、Ｃ４９に記載のワイヤレス通信デバイス。
［Ｃ５１］
前記ワイヤレス通信デバイスに対応する前記ビットよりも前に現れるビットに対応する他のワイヤレス通信デバイス各々に前記アクセスポイントがメッセージをアドレスしたときに前記ポーリング要求を送信するように構成された送信機をさらに備える、Ｃ５０に記載のワイヤレス通信デバイス。
［Ｃ５２］
前記プロセッサに電子的に結合され、前記チャネルでメッセージを検出するように構成された受信機をさらに備える、Ｃ４６に記載のワイヤレス通信デバイス。
［Ｃ５３］
ワイヤレス通信ネットワークにおける衝突を低減する方法であって、
ポーリング要求を生成することと、
ワイヤレス通信デバイスが通信するワイヤレス通信ネットワークのチャネルで送信された別のメッセージを前記ワイヤレス通信デバイスが検出するたびに、適応拡張インターフレーム・スペース（ＡＥＩＦＳ）を決定することと、ここで、前記ＡＥＩＦＳの初期持続期間は、情報要素における前記ワイヤレス通信デバイスの位置に基づき、
前記ＡＥＩＦＳの持続期間に基づく時間の後、前記ワイヤレス通信ネットワークの前記チャネルがオープンであるときに、前記ワイヤレス通信ネットワークを通じてアクセスポイントに前記ポーリング要求を送信することと、
を備える、方法。
［Ｃ５４］
トラフィックインジケーションマップ（ＴＩＭ）内のデータに基づいて前記ＡＥＩＦＳの初期持続期間を決定することをさらに備える、Ｃ５３に記載の方法。
［Ｃ５５］
前記ＴＩＭを分析することをさらに備え、前記ＴＩＭはビットマップを備え、前記ビットマップ内の各ビットが前記ワイヤレス通信ネットワーク内の異なるワイヤレス通信デバイスに対応し、前記ＡＥＩＦＳの前記初期持続期間は、前記ワイヤレス通信デバイスに対応するビットよりも前に現れる他のワイヤレス通信デバイスに対応するビットの数に基づく、Ｃ５４に記載の方法。
［Ｃ５６］
分散調整機能インターフレーム・スペース（ＤＩＦＳ）の持続期間、ショート・インターフレーム・スペース（ＳＩＦＳ）の持続期間、最大コンテンションウィンドウの持続期間、ポーリング要求の送信時間、ならびに、前記ワイヤレス通信デバイスに対応する前記ビットよりも前に現れるビットに対応する他のワイヤレス通信デバイスにアドレスされた前記アクセスポイントによって送信されたメッセージの数に基づいて、前記ＡＥＩＦＳの持続期間を決定することをさらに備える、Ｃ５５に記載の方法。
［Ｃ５７］
前記ワイヤレス通信デバイスに対応する前記ビットよりも前に現れるビットに対応する他のワイヤレス通信デバイスにアドレスされた前記アクセスポイントによって送信されたメッセージの前記数が増加するにつれて、前記ＡＥＩＦＳの前記持続期間を減少させることをさらに備える、Ｃ５６に記載の方法。
［Ｃ５８］
前記ポーリング要求を送信することが、前記ワイヤレス通信デバイスに対応する前記ビットよりも前に現れるビットに対応する他のワイヤレス通信デバイス各々に前記アクセスポイントがメッセージをアドレスしたときに前記ポーリング要求を送信することを含む、Ｃ５７に記載の方法。
［Ｃ５９］
ワイヤレス通信ネットワークにおける衝突を低減するように構成された装置であって、
ポーリング要求を生成する手段と、
ワイヤレス通信デバイスが通信するワイヤレス通信ネットワークのチャネルで送信された別のメッセージを前記ワイヤレス通信デバイスが検出するたびに、適応拡張インターフレーム・スペース（ＡＥＩＦＳ）を決定する手段と、ここで、前記ＡＥＩＦＳの初期持続期間は、情報要素における前記ワイヤレス通信デバイスの位置に基づき、
前記ＡＥＩＦＳの持続期間に基づく時間の後、前記ワイヤレス通信ネットワークの前記チャネルがオープンであるときに、前記ワイヤレス通信ネットワークを通じてアクセスポイントに前記ポーリング要求を送信する手段と、
を備える、装置。
［Ｃ６０］
トラフィックインジケーションマップ（ＴＩＭ）内のデータに基づいて前記ＡＥＩＦＳの初期持続期間を決定する手段をさらに備える、Ｃ５９に記載の装置。
［Ｃ６１］
前記ＴＩＭを分析する手段をさらに備え、前記ＴＩＭはビットマップを備え、前記ビットマップ内の各ビットが前記ワイヤレス通信ネットワーク内の異なるワイヤレス通信デバイスに対応し、前記ＡＥＩＦＳの前記初期持続期間は、前記ワイヤレス通信デバイスに対応するビットよりも前に現れる他のワイヤレス通信デバイスに対応するビットの数に基づく、Ｃ６０に記載の装置。
［Ｃ６２］
分散調整機能インターフレーム・スペース（ＤＩＦＳ）の持続期間、ショート・インターフレーム・スペース（ＳＩＦＳ）の持続期間、最大コンテンションウィンドウの持続期間、ポーリング要求の送信時間、ならびに、前記ワイヤレス通信デバイスに対応する前記ビットよりも前に現れるビットに対応する他のワイヤレス通信デバイスにアドレスされた前記アクセスポイントによって送信されたメッセージの数に基づいて、前記ＡＥＩＦＳの持続期間を決定する手段をさらに備える、Ｃ６１に記載の装置。
［Ｃ６３］
前記ワイヤレス通信デバイスに対応する前記ビットよりも前に現れるビットに対応する他のワイヤレス通信デバイスにアドレスされた前記アクセスポイントによって送信されたメッセージの前記数が増加するにつれて、前記ＡＥＩＦＳの前記持続期間を減少させる手段をさらに備える、Ｃ６２に記載の装置。
［Ｃ６４］
前記ポーリング要求を送信する手段が、前記ワイヤレス通信デバイスに対応する前記ビットよりも前に現れるビットに対応する他のワイヤレス通信デバイス各々に前記アクセスポイントがメッセージをアドレスしたときに前記ポーリング要求を送信する手段を、Ｃ６３に記載の装置。
［Ｃ６５］
生成する前記手段および決定する前記手段は、プロセッサを含み、送信する前記手段は、送信機を含む、Ｃ５９に記載の装置。
［Ｃ６６］
非一時的コンピュータ読取可能媒体であって、
実行されたときに、装置に、
ポーリング要求を生成することと、
ワイヤレス通信デバイスが通信するワイヤレス通信ネットワークのチャネルで送信された別のメッセージを前記ワイヤレス通信デバイスが検出するたびに、適応拡張インターフレーム・スペース（ＡＥＩＦＳ）を決定することと、ここで、前記ＡＥＩＦＳの初期持続期間は、情報要素における前記ワイヤレス通信デバイスの位置に基づき、
前記ＡＥＩＦＳの持続期間に基づく時間の後、前記ワイヤレス通信ネットワークの前記チャネルがオープンであるときに、前記ワイヤレス通信ネットワークを通じてアクセスポイントに前記ポーリング要求を送信することと、
を行わせるコードを備える、非一時的コンピュータ読取可能媒体。
［Ｃ６７］
実行されたときに、前記装置に、トラフィックインジケーションマップ（ＴＩＭ）内のデータに基づいて前記ＡＥＩＦＳの初期持続期間を決定させるコードをさらに備える、Ｃ６６に記載の媒体。
［Ｃ６８］
実行されたときに、前記装置に前記ＴＩＭを分析させるコードをさらに備え、前記ＴＩＭはビットマップを備え、前記ビットマップ内の各ビットが前記ワイヤレス通信ネットワーク内の異なるワイヤレス通信デバイスに対応し、前記ＡＥＩＦＳの前記初期持続期間は、前記ワイヤレス通信デバイスに対応するビットよりも前に現れる他のワイヤレス通信デバイスに対応するビットの数に基づく、Ｃ６７に記載の媒体。
［Ｃ６９］
実行されたときに、前記装置に、分散調整機能インターフレーム・スペース（ＤＩＦＳ）の持続期間、ショート・インターフレーム・スペース（ＳＩＦＳ）の持続期間、最大コンテンションウィンドウの持続期間、ポーリング要求の送信時間、ならびに、前記ワイヤレス通信デバイスに対応する前記ビットよりも前に現れるビットに対応する他のワイヤレス通信デバイスにアドレスされた前記アクセスポイントによって送信されたメッセージの数に基づいて、前記ＡＥＩＦＳの持続期間を決定させるコードをさらに備える、Ｃ６８に記載の媒体。
［Ｃ７０］
実行されたときに、前記装置に、前記ワイヤレス通信デバイスに対応する前記ビットよりも前に現れるビットに対応する他のワイヤレス通信デバイスにアドレスされた前記アクセスポイントによって送信されたメッセージの前記数が増加するにつれて、前記ＡＥＩＦＳの前記持続期間を減少させるコードをさらに備える、Ｃ６９に記載の媒体。
［Ｃ７１］
実行されたときに前記装置に前記ポーリング要求を送信させるコードが、前記ワイヤレス通信デバイスに対応する前記ビットよりも前に現れるビットに対応する他のワイヤレス通信デバイス各々に前記アクセスポイントがメッセージをアドレスしたときに前記ポーリング要求を送信する手段を含むことをさらに備える、Ｃ７０に記載の媒体。